(57)【特許請求の範囲】
【請求項１】
汽力発電設備においてタービン蒸気や冷却水として利用するために、工業用水や河川水のような原水を発電設備用水として使用可能に除濁・ろ過処理し、ボイラ（８）に供給する汽力発電設備における給水系統の運転方法であって、
工業用水や河川水のような原水を、発電設備用水として使用可能な状態に除濁・ろ過処理し、
この除濁・ろ過処理した処理水を復水器（４）へ補給し、復水ポンプ（５）でくみ上げ、低圧給水ヒータ（６）で加熱し、脱気器（１）に入れ、該脱気器（１）で復水中の溶存酸素を除去し、
この脱気された水を、脱気器循環ポンプ（１１）を用いて、モータ駆動ポンプ（１０）に９０℃のＤＳＳ（日間起動停止）起動時程度の温水を還流して予熱し、封水により蒸気タービン駆動ポンプ（９）とモータ駆動ポンプ（１０）のケーシング温度が給水温度より４０〜５０℃程度に冷却されているときには、該蒸気タービン駆動ポンプ（９）とモータ駆動ポンプ（１０）について脱気器循環ポンプ（１１）を起動して予熱し、
水中の溶存酸素を脱気器（１）で除去した水を、前記蒸気タービン駆動ポンプ（９）とモータ駆動ポンプ（１０）により給水流量調整弁（１３）の前後における差圧が無い状態で該給水流量調整弁（１３）を開き、徐々に高圧給水ヒータ（３）に通してボイラ（８）に供給する、ことを特徴とする汽力発電設備における給水系統の運転方法。
【請求項２】
除濁・ろ過処理した後、その処理水の中に存在するカルシウム、マグネシウム、シリカその他の塩類及び溶存イオン類を純水装置で除去する、ことを特徴とする請求項１の汽力発電設備における給水系統の運転方法。
【発明の詳細な説明】
【技術分野】
【０００１】
本発明は、熱エネルギーを利用してタービンで発電する汽力発電設備に係り、特に貫流形ボイラにおけるタービン蒸気や冷却水として利用する水を供給する汽力発電設備における給水系統の運転方法に関する。
【背景技術】
【０００２】
汽力発電設備は、ボイラで燃料を燃焼し、その熱で高圧高温の蒸気を発生し、蒸気タービン、発電機を回転させて電力を発生する設備である。このボイラで燃料を燃やして得た高温高圧の蒸気でタービンを回転させる汽力発電設備が火力発電の中では発電能力・発電量ともに圧倒的に高い比率を占めている。
【０００３】
汽力発電設備は、ボイラ、タービン、発電機などの主要機器の他に、種々の付属設備から構成される。これらの設備を機能別に分類すると、燃料受入・貯蔵設備、ボイラ設備、蒸気タービン設備、復水・給水系統設備、発電機および電気設備、及び計測制御装置及び諸設備から成る。ここで、燃料受入・貯蔵設備は、取引用計量装置、重原油、ＬＮＧ、ＬＰＧ等の燃料タンク、燃料油ポンプ、ＬＮＧポンプ、気化器などである。ボイラ設備はボイラ本体、重原油ポンプ、バーナ、通風機、空気予熱器、集じん器、灰処理装置、煙突などである。蒸気タービン設備はタービン本体、潤滑油装置、調速装置などである。復水・給水系統設備は復水器、循環水ポンプ、復水ポンプ、給水加熱器、給水ポンプ、給水処理装置などである。発電機及び電気設備は発電機、励磁機、変圧器、開閉装置、ケーブルなどである。計測制御装置は各種計測装置、監視装置、プラント総括制御装置、自動バーナ装置、計算機制御装置などである。諸設備には所内冷却水設備、所内空気設備、排水処理設備、保安防災設備などがある。
【０００４】
発電設備で使用する水は、良質であることが望ましい。普通、工業用水や河川水等を使用する。この水は、原水タンクにいったん貯蔵する。原水は水処理装置によって、除濁・ろ過され、発電設備用水として使用される。ボイラ用水は、良質の水が要求され、純水装置によって処理される。純水装置は水の中に存在するカルシウム、マグネシウム、シリカその他の塩類を除去するものである。処理の悪い水を使用すると、ボイラ・チューブ等に汚れが付き、熱伝導を妨げ、腐食の原因となって事故を引き起こすからである。
【０００５】
次に、処理された水はいったん純水タンクに貯蔵され、そこから復水器へ補給される。復水器の底部にあるホットウエルにたまった復水は、復水ポンプによってくみ上げられ、低圧給水加熱器で加熱され、脱気器に入る。脱気器は復水中の溶存酸素を除去する装置で脱気された水は、ボイラ給水ポンプにより所要の圧力に加圧され、高圧給水加熱器を通ってボイラに入る。
【０００６】
このような汽力発電設備の給水系統の運転操作は、非常に煩雑なものである。そこで、自動制御装置を用いて、これまで人の勘に頼ってやってきた運転操作を、機械がすべて行う自動制御方法が提案されている。例えば、特許文献１の特開平１１−２３７００４号の特開公報「給水ポンプの系統制御装置」に示すように、それぞれ給水ブースタポンプから吐出される給水を主給水系統から独立した単一の給水ポンプバイパス系統に供給する第１および第２給水ポンプバイパス弁と、前記第１および第２給水ポンプバイパス弁の下流側の該給水ポンプバイパス系統を流れる給水を給水ポンプの下流側の前記主給水系統に供給する給水循環弁とを備えてなる給水ポンプ系統において、前記第１および第２給水ポンプバイパス弁を開閉する制御信号をつくる制御装置を設け、前記制御装置が前記第１および第２給水ポンプバイパス弁のうち、クリーンアップ運転と関係しない前記給水ポンプバイパス弁で検出される全閉位置信号が入力されたとき、クリーンアップ運転で用いる前記給水ポンプバイパス弁を開動作させる信号を出力する回路を具備することを特徴とする給水ポンプ系統制御装置が提案されている。
【先行技術文献】
【特許文献】
【０００７】
【特許文献１】特開平１１−２３７００４号
【発明の概要】
【発明が解決しようとする課題】
【０００８】
このように、汽力発電設備では、ボイラに点火することによって、ただちに電気を発生出来るものではなく、水力発電設備あるいは内燃力発電設備に比較して、その所要時間は停止している汽機の状態によって異なるが、所定の負荷をとるまでに十数時間も要するという問題があった。
【０００９】
特許文献１には、給水ポンプの自動制御に関する装置だけで、給水系統全体を安全かつ正確に運転制御するものではなかった。例えば、各機器にウオーミングアップなしで給水ポンプを駆動するとき、即ちそのポンプの周囲を加温しないで給水すると各機器に故障又は亀裂が入りやすいという問題を有していた。
【００１０】
また、給水系統において、処理が不十分の用水を使用すると、ボイラ・配管等に汚れが付着し、熱伝導を妨げ、腐食の原因となって発電設備の事故を引き起こしやすいという問題を有していた。
【００１１】
本発明は、かかる問題点を解決するために創案されたものである。すなわち、本発明の目的は、ボイラ等の機器に供給する給水の水温等を微調整することで、発電設備の起動時、停止の際に安全かつ正確に運転することができると共に、異常時にも適切に対応することができる汽力発電設備における給水系統の運転方法を提供することにある。
【課題を解決するための手段】
【００１２】
本発明の運転方法は、汽力発電設備においてタービン蒸気や冷却水として利用するために、工業用水や河川水のような原水を発電設備用水として使用可能に除濁・ろ過処理し、ボイラ（８）に供給する汽力発電設備における給水系統の運転方法であって、工業用水や河川水のような原水を、発電設備用水として使用可能な状態に除濁・ろ過処理し、この除濁・ろ過処理した処理水を復水器（４）へ補給し、復水ポンプ（５）でくみ上げ、低圧給水ヒータ（６）で加熱し、脱気器（１）に入れ、該脱気器（１）で復水中の溶存酸素を除去し、この脱気された水を、脱気器循環ポンプ（１１）を用いて、モータ駆動ポンプ（１０）に９０℃のＤＳＳ（日間起動停止）起動時程度の温水を還流して予熱し、封水により蒸気タービン駆動ポンプ（９）とモータ駆動ポンプ（１０）のケーシング温度が給水温度より４０〜５０℃程度に冷却されているときには、該蒸気タービン駆動ポンプ（９）とモータ駆動ポンプ（１０）について脱気器循環ポンプ（１１）を起動して予熱し、水中の溶存酸素を脱気器（１）で除去した水を、前記蒸気タービン駆動ポンプ（９）とモータ駆動ポンプ（１０）により給水流量調整弁（１３）の前後における差圧が無い状態で該給水流量調整弁（１３）を開き、徐々に高圧給水ヒータ（３）に通してボイラ（８）に供給する、ことを特徴とする。
【００１３】
除濁・ろ過処理した後、その処理水の中に存在するカルシウム、マグネシウム、シリカその他の塩類及び溶存イオン類を純水装置で除去することが好ましい。
【発明の効果】
【００１４】
上記方法の発明では、水中の溶存酸素を脱気器（１）で除去した水が、給水流量調整弁（１３）の前後における差圧があっても安全にボイラ（８）に給水することにより、発電設備の起動時、停止の際に安全かつ正確に運転することができると共に、異常時にも適切に対応することができる。
給水ポンプ（２）の起動前に、脱気器循環ポンプ（１１）を用いて、モータ駆動ポンプ（１０）に９０℃のＤＳＳ（日間起動停止）起動時程度の温水を還流して予熱することにより、各機器を安全に運転することができる。また、封水により給水ポンプ（２）のケーシング温度が給水温度より４０〜５０℃に冷却されているときには、給水ポンプ（２）について脱気器循環ポンプ（１１）を起動して予熱するので各機器を安全に運転することができる。
【００１５】
除濁・ろ過処理した後、その処理水の中に存在するカルシウム、マグネシウム、シリカその他の塩類及び溶存イオン類を純水装置で除去することにより、ボイラ・チューブ等への汚れの付着がなくなり、腐食の原因とする事故を防止することができる。
【図面の簡単な説明】
【００１６】
【図１】汽力発電設備における給水系統を示す概略系統図である。
【図２】汽力発電設備における給水系統の運転方法を説明するフロー図である。
【発明を実施するための形態】
【００１７】
汽力発電設備における給水系統は、原水を処理した水を復水器へ補給し、復水ポンプでくみ上げ、低圧給水ヒータで加熱し、溶存酸素を除去すると共に、タービンから抽気された蒸気を用いて復水を加熱する脱気器と、この脱気器で脱気された水を加圧する給水ポンプと、この給水ポンプで加圧処理した水を加熱してボイラに供給する高圧給水ヒータと、を備えた給水系統である。
本発明の給水系統の運転方法は、汽力発電設備においてタービン蒸気や冷却水として利用するために、水中の溶存酸素を脱気器で除去した水が、給水流量調整弁の前後における差圧が低いときは、そのまま高圧給水ヒータに供給し、逆に、給水流量調整弁の前後の差圧が高いときは、トッピングアップ弁を用いて徐々に高圧給水ヒータに給水する給水系統の運転方法である。
【実施例１】
【００１８】
以下、本発明の好ましい実施の形態を図面を参照して説明する。
図１は汽力発電設備における給水系統を示す概略系統図である。
燃料系統は、汽力発電設備においてタービン蒸気や冷却水として利用する水を供給する系統であり、主に脱気器１、給水ポンプ（ＢＦＰ）２及び高圧給水ヒータ３とを備えた発電設備である。原水タンクに貯蔵している工業用水や河川水のような原水は、発電設備用水として使用可能にするために水処理装置（図示していない）で除濁・ろ過処理する。処理の悪い水を使用すると、ボイラ８や配管等に汚れが付着し、熱伝導を妨げ、腐食の原因となって発電設備の事故を引き起こすおそれがあるからである。
更に、除濁・ろ過処理した後、その処理水の中に存在するカルシウム、マグネシウム、シリカその他の塩類及び溶存イオン類を純水装置（図示していない）で除去することが望ましい。
【００１９】
脱気器１は、処理した水を復水器４へ補給し、復水ポンプ５でくみ上げ、低圧給水ヒータ６で１２０℃から１５０℃程度に加熱し、溶存酸素を除去すると共に、蒸気タービン７から抽気された蒸気を用いて復水を加熱する装置である。この脱気器１では蒸気タービン７の抽気等を噴射して給水を直接加熱し、給水中の溶存ガスを物理的に除去する。
【００２０】
給水ポンプ２は、脱気器１で脱気された水を、所要の圧力に加圧する装置である。この給水ポンプ２は、脱気された水について、通常運転中の所要の圧力に加圧すると共に、ボイラ８へ給水を供給する蒸気タービン駆動ポンプ（Ｔ−ＢＦＰ）９と、起動時又は非常時に所要の圧力に加圧すると共に、ボイラ８へ給水を供給するモータ駆動ポンプ（Ｍ−ＢＦＰ）１０とから成るものである。
【００２１】
この給水ポンプ２の起動前に、脱気器循環ポンプ（ＤＣＰ）１１を用いてモータ駆動ポンプ（Ｍ−ＢＦＰ）１０のみ予熱する。蒸気タービン駆動ポンプ９は、モータ駆動用ポンプ１０の起動後に、例えばＢＦＰウォーミング弁が開いた後にウォーミングされる。このウォーミング弁は、Ｍ−ＢＦＰウォーミング弁とＢＦＰウォーミング弁の２種類がある。モータ駆動ポンプ（Ｍ−ＢＦＰ）１０へは、９０℃程度の温水を還流して予熱することが望ましい。ＤＳＳ（日間起動停止）起動時、ＷＳＳ（週末起動停止）起動などでは停止時間が長いため９０℃程度から温度は低下する。
【００２２】
高圧給水ヒータ３は、給水ポンプ２で加圧処理した水を、所定の温度に加熱してボイラ８に供給する装置である。高圧給水ヒータ３は、タービン抽気又はその他の蒸気で給水を加熱するものである。この高圧給水ヒータ３には、効率よく加熱するために、ボイラ８の排熱を利用して給水を予熱するエコノマイザー（節炭器）１２を付設することが望ましい。
【実施例２】
【００２３】
図２は実施例２の汽力発電設備における給水系統の運転方法を示すフロー図である。
実施例２に係る給水系統の運転方法は、先ず、発電設備用水として使用可能にするために水処理装置で除濁・ろ過処理した処理水を復水器４へ補給し、復水ポンプ５でくみ上げ、低圧給水ヒータ６で５０℃から１２０℃程度に加熱し、脱気器１に入れ、この脱気器１で復水中の溶存酸素を除去する、このとき給水の水温は１２０℃から１５０℃程度になる。脱気された水をボイラ給水ポンプ２により所要の圧力に加圧して、高圧給水ヒータ３を通してボイラ８に供給する。
【００２４】
次に、水中の溶存酸素を脱気器１で除去した水が、給水流量調整弁１３の前後における差圧が無いときは、そのまま高圧給水ヒータ３に供給し、１５０℃から２４０℃程度に加熱する。また、トリップした場合、ボイラ８に残圧があるときは、トッピングアップ弁１４を操作せず、いきなり給水流量調整弁１３で水張りする。給水流量調整弁１３が９．８ＭＰａを超える差圧に耐えられるように制御できるときは、差圧があってもトッピングアップ弁を備える必要はない。
【００２５】
なお、給水流量調整弁１３が９．８ＭＰａを超える差圧に耐えられるように制御できない場合は、トッピングアップ弁１４を用いて徐々に高圧給水ヒータ３に給水することが好ましい。例えば、トッピングアップ弁１４について、「開」操作するときは、一次ボイラ８の出口圧力が９．８ＭＰａ以下であり、モータ駆動ポンプ１０を起動させる。
モータ駆動ポンプ１０の出口弁を「開」するときは、一次ボイラ８の出口圧力が９．８ＭＰａ以上（一次ボイラ８の出口圧力設定が１５．５ＭＰａのとき）であり、出口弁が全開すると給水流量調整弁１３が自動となり開き始めるようになっている。
【００２６】
給水ポンプ２の起動前に、脱気器循環ポンプ１１を用いて、モータ駆動ポンプ１０に９０℃のＤＳＳ（日間起動停止）起動時程度の温水を還流して予熱することにより、各機器を安全に運転することができる。即ち、脱気器循環ポンプ１１は、運転時における温度差を無くすために、この脱気器循環ポンプ１１を起動する時には給水温度は９０℃前後に下がった状態で起動する。
【００２７】
また、封水等により給水ポンプ２のケーシング温度が給水温度より４０〜５０℃に冷却されているときには、給水ポンプ２について脱気器循環ポンプ１１を起動して予熱する。即ち、脱気器循環ポンプ１１は、脱気器１の出口温度差がプラス・マイナス４０度以上で起動させ、その出口温度差がこの温度範囲内になれば停止させる。これは給水ポンプ２の起動条件について、給水と給水ポンプ２のケーシングが４０℃以内という温度差制限があるので、脱気器循環ポンプ１１を起動し予熱して、その温度差をなくすためである。
【００２８】
なお、本発明は、ボイラ８等の機器に供給する給水の水温等を微調整することで、発電設備の起動時、停止の際に安全かつ正確に運転することができると共に、異常時にも適切に対応できれば、上述した発明の実施の形態に限定されず、本発明の要旨を逸脱しない範囲で種々変更できることは勿論である。
【００２９】
最後に上記より抽出される発明の基本構成および効果について念のため以下に記載する。
【００３０】
［発明Ａ］
給水系統は、汽力発電設備においてタービン蒸気や冷却水として利用する水を供給する汽力発電設備における給水系統であって、発電設備用水として使用可能に処理した水を、復水器（４）へ補給し、復水ポンプ（５）でくみ上げ、低圧給水ヒータ（６）で加熱し、溶存酸素を除去すると共に、蒸気タービン（７）から抽気された蒸気を用いて復水を加熱する脱気器（１）と、前記脱気器（１）で脱気された水を、通常運転中の圧力に加圧すると共に、ボイラ（８）へ給水する蒸気タービン駆動ポンプ（９）と、 起動時又は非常時には所要の圧力に加圧すると共に、ボイラ（８）へ給水するモータ駆動ポンプ（１０）と、前記モータ駆動ポンプ（１０）とその下流の前記蒸気タービン駆動ポンプ（９）の間に設けられ、その前後における水の差圧を調整する給水流量調整弁（１３）と、前記蒸気タービン駆動ポンプ（９）とモータ駆動ポンプ（１０）で加圧処理した水を、加熱してボイラ（８）に供給する高圧給水ヒータ（３）と、 前記蒸気タービン駆動ポンプ（９）と前記モータ駆動ポンプ（１０）の間から高圧給水ヒータ（３）へ給水するトッピングアップ弁（１４）と、を備えた、ことを特徴とする。
【００３１】
［効果］
上記［発明Ａ］に構成の発明では、給水ポンプ（２）は、脱気された水について、通常運転中の所要の圧力に加圧すると共に、ボイラ（８）へ給水を供給する蒸気タービン駆動ポンプ（９）と、起動時又は非常時に所要の圧力に加圧すると共に、ボイラ（８）へ給水を供給するモータ駆動ポンプ（１０）と、から成るので、発電設備の起動時、停止の際に安全かつ正確に運転することができると共に、異常時にも給水流量調整弁（１３）あるいはトッピングアップ弁（１４）を操作することで適切に対応することができる。
【００３２】
［発明Ｂ］
上記［発明Ａ］に記載の給水系統において、前記高圧給水ヒータ（３）に、ボイラ（８）の排熱を利用して給水を予熱するエコノマイザー（節炭器）（１２）を付設した、ことを特徴とする。
【００３３】
［効果］
上記［発明Ｂ］に構成の発明では、さらに、高圧給水ヒータ（３）に、ボイラ（８）の排熱を利用して給水を予熱するエコノマイザー（節炭器）（１２）を付設したので、効率よく加熱することができる。
【産業上の利用可能性】
【００３４】
本発明の汽力発電設備における給水系統の運転方法は、汽力発電設備の他にコンバインサイクル発電設備などに利用することができる。
【符号の説明】
【００３５】
１ 脱気器
２ 給水ポンプ
３ 高圧給水ヒータ
４ 復水器
５ 復水ポンプ
６ 低圧給水ヒータ
７ タービン
８ ボイラ
９ 蒸気タービン駆動ポンプ
１０ モータ駆動ポンプ
１１ 脱気器循環ポンプ
１２ エコノマイザー（節炭器）
１３ 給水流量調整弁
１４ トッピングアップ弁
【図１】
0005497139.tif 000002
【図２】
0005497139.tif 000003